(57)【要約】【課題】受信装置で表示する番組表に広告用番組情報を組み込むことができる番組情報作成装置を提供する。【解決手段】番組情報作成装置500の広告情報作成部53は、プログラム中に広告用ストリームである映像や音声のエレメンタリストリーム（ＥＳ）のＰＩＤ（パケットID）を例えばプログラム情報中に記述して送出する。すなわち、広告用ストリームデータベース54からは、広告用ストリームの映像や音声をプログラム情報中に記述されたＰＩＤで送出する。受信装置において視聴者が番組表表示を指示した場合には、広告用ストリームとなっている所定のパケットＩＤの映像と所定のパケットＩＤの音声をデコードして番組表の一部として表示、音声出力する。【選択図】図２６
2004007780.tif 000002
【特許請求の範囲】
【請求項１】
　番組に対応付けられた広告用ストリームへの参照情報を含む番組情報を作成する広告情報作成部と、広告用ストリームを蓄積する広告用ストリームデータベースと、番組情報と広告用ストリームとを送出する送出部とを備えることを特徴とする番組情報作成装置。
【請求項２】
　番組に対応付けられた広告用ストリームへの参照情報を含む番組情報を作成し、番組情報と番組情報中に参照情報が含まれる広告用ストリームとを送出する番組情報作成方法。
【請求項３】
　番組に対応付けられたスポンサーに関する情報であるスポンサー情報を番組情報に付与する広告情報作成部と、番組情報を送出する送出部を備えることを特徴とする番組情報作成装置。
【請求項４】
　前記スポンサー情報は、スポンサー名、スポンサーの住所、電話番号、インターネットホームページのＵＲＬ、スポンサーロゴデータのいずれかであることを特徴とする請求項３に記載の番組情報作成装置。
【請求項５】
　番組に対応付けられたスポンサーに関する情報であるスポンサー情報を番組情報に付与して送出する番組情報作成方法。
【請求項６】
　前記スポンサー情報は、スポンサー名、スポンサーの住所、電話番号、インターネットホームページのＵＲＬ、スポンサーロゴデータのいずれかであることを特徴とする請求項５に記載の番組情報作成方法。
【請求項７】
　番組に対応付けられた広告用ストリームへの参照情報を含む番組情報を蓄積する番組情報蓄積部と、広告用ストリームを蓄積する広告用ストリーム蓄積部と、番組を受信する受信部と、前記受信部が受信した番組を表示する番組表示部と、前記番組情報蓄積部が蓄積する番組情報を表示する番組表表示部と、前記広告用ストリーム蓄積部が蓄積する広告用ストリームを表示する広告用ストリーム表示部を備え、番組視聴時に番組表表示が視聴者から指示された場合には、番組表と同時に視聴していた番組に対応付けられた広告用ストリームを表示することを特徴とする受信装置。
【請求項８】
　前記番組表表示部が、視聴者の居住地、年齢等や番組の種類等に応じて表示する広告用ストリームを切り替えることを特徴とする請求項７に記載の受信装置。
【請求項９】
　番組に対応付けられたスポンサーに関する情報であるスポンサー情報を付与した番組情報を蓄積する番組情報蓄積部と、番組情報を表示するときには、前記番組情報蓄積部が蓄積する番組情報において番組と当該番組に対応付けられたスポンサー情報を、番組に対応付けて表示する番組情報表示部を備えることを特徴とする受信装置。
【請求項１０】
　前記スポンサー情報は、スポンサー名、スポンサーの住所、電話番号、インターネットホームページのＵＲＬ、スポンサーロゴデータのいずれかであることを特徴とする請求項９に記載の受信装置。
【請求項１１】
　視聴者から番組表表示の指示があったときには、それまで表示していた番組映像を縮小して画面の一部に表示する番組表表示部を備えることを特徴とする受信装置。
【請求項１２】
　番組ごとに対応付けられたＣＭの識別情報を含む番組情報を作成する番組情報作成部と、少なくともＣＭを識別するためのＣＭ識別情報と、それぞれのＣＭが伝送される伝送路と伝送時刻から成るＣＭ位置情報から成るＣＭ情報を作成するＣＭ情報作成部と、前記番組情報作成部が作成した番組情報と前記ＣＭ情報作成部が作成したＣＭ情報とＣＭとを送出する送出部とを備えることを特徴とする番組情報作成装置。
【請求項１３】
　ＣＭを識別するためのＣＭ識別情報と共にＣＭを蓄積するＣＭ録画管理部と、番組ごとに対応付けられたＣＭのＣＭ識別情報を含む番組情報を蓄積する番組情報蓄積部と、前記番組情報蓄積部が蓄積する番組情報に含まれる当該表示中の番組に対応付けられたＣＭを、ＣＭ識別情報に従って前記ＣＭ録画管理部が管理するＣＭから検索するＣＭ検索部と、番組表示中に番組表表示の指示があった場合には、番組表内に前記ＣＭ検索部が検索したＣＭを組み込んで表示する番組表表示部を備えることを特徴とする受信装置。
【請求項１４】
　少なくともＣＭを識別するためのＣＭ識別情報と、それぞれのＣＭが伝送される伝送路と伝送時刻から成るＣＭ位置情報から成るＣＭ情報を受信し、受信したＣＭ情報に含まれるＣＭ位置情報に従ってＣＭを受信して、前記ＣＭ録画管理部への録画を指示する受信部を備えることを特徴とする請求項１３に記載の受信装置。
【請求項１５】
　前記受信部が番組ごとに対応付けられたＣＭの識別情報を含む番組情報を受信し、前記番組情報蓄積部に蓄積することを特徴とする請求項１４に記載の受信装置。
【請求項１６】
　ＣＭの録画形態ごとの録画料金、もしくは録画した番組の視聴形態ごとの料金を番組ごとに記述した番組情報を作成する番組情報作成部と、ＣＭごとにそれを識別するＣＭ識別子と放映する伝送路と放映時刻を記述したＣＭ位置情報を作成するＣＭ位置情報作成部と、番組情報とＣＭ位置情報を送出する送出部を備えることを特徴とする番組情報作成装置。
【請求項１７】
　前記録画形態は、番組をＣＭ付きで録画するのか、ＣＭを付けないで録画するのかのいずれかの形態を含むことを特徴とする請求項１６に記載の番組情報作成装置。
【請求項１８】
　前記視聴形態は、ＣＭ部分のみ早送りで視聴するのか、ＣＭ付きで視聴するのか、ＣＭを付けないで視聴するのか、のいずれかの形態を含むことを特徴とする請求項１６に記載の番組情報作成装置。
【請求項１９】
　ＣＭの録画形態ごとの録画料金を番組ごとに記述した番組情報を蓄積する番組情報蓄積部と、ＣＭごとにそれを識別するＣＭ識別子と放映する伝送路と放映時刻を記述したＣＭ位置情報を蓄積するＣＭ位置情報蓄積部と、番組を受信する受信部と、視聴者によって選択された番組と録画形態に従い、当該番組の番組情報と当該番組中に含まれるＣＭのＣＭ位置情報を参照して当該番組を録画する番組録画部を備えることを特徴とする受信装置。
【請求項２０】
　前記録画形態は、番組をＣＭ付きで録画するのか、ＣＭを付けないで録画するのかのいずれかの形態を含み、視聴者が選択した録画形態がＣＭ付で録画だった場合には、前記番組録画部は、前記ＣＭ位置情報蓄積部が蓄積する前記ＣＭ位置情報を参照してＣＭ部分をスキップして当該番組を録画することを特徴とする請求項１９に記載の受信装置。
【請求項２１】
　視聴者が選択した番組と録画形態に対し、前記番組情報蓄積部が蓄積する前記番組情報に記載される当該番組の当該録画形態の録画料金の課金処理を行う課金部をさらに備えることを特徴とする請求項１９または請求項２０に記載の受信装置。
【請求項２２】
　番組ごとに番組に含まれるＣＭが各受信装置で再生されるべき回数であるＣＭ再生回数情報を番組情報に付与するＣＭ再生回数情報作成部と、番組情報を送出する送出部を備えることを特徴とする番組情報作成装置。
【請求項２３】
　番組の本編のみを蓄積する番組録画部と、ＣＭのみを蓄積するＣＭ録画部と、番組ごとに前記番組録画の管理する番組の本編と前記ＣＭ録画部が管理するＣＭの再生順序を示す再生順序表を作成する再生順序表作成部と、番組を再生するときには前記再生順序表作成部が作成した再生順序表に従って、前記番組録画部が蓄積する番組の本編と、前記ＣＭ録画部が蓄積するＣＭを組み合わせて番組を再生する番組再生部を備えることを特徴とする受信装置。
【請求項２４】
　前記番組再生部は、ＣＭが再生されるべき回数である規定再生回数に到達するまでは、番組再生時には必ずＣＭを再生することを特徴とする請求項２３に記載の受信装置。
【請求項２５】
　前記番組再生部は、ＣＭが再生されるべき回数である規定再生回数に到達した後は、番組再生時にはＣＭをスキップして再生することを特徴とする請求項２３または請求項２４に記載の受信装置。
【請求項２６】
　番組ごとに番組に含まれるＣＭが各受信装置で再生されるべき回数であるＣＭ再生回数情報を記載した番組情報を受信する受信部をさらに備え、規定再生回数の初期値として、番組情報に記載されたＣＭ再生回数情報を使用することを特徴とする請求項２３乃至請求項２５のいずれかに記載の受信装置。
【請求項２７】
　前記受信部が、番組情報とＣＭごとに放映する伝送路と放映時刻を記述したＣＭ位置情報を受信し、前記番組録画部は前記番組情報と前記ＣＭ位置情報に従って番組の本編のみを蓄積し、前記ＣＭ録画部は前記ＣＭ位置情報に従ってＣＭのみを蓄積することを特徴とする請求項２３乃至請求項２６のいずれかに記載の受信装置。
【請求項２８】
　番組と当該番組に含まれるＣＭを１ストリームとして録画する番組ＣＭ録画部と、前記番組ＣＭ録画部が録画した番組内のＣＭの位置を管理する番組内ＣＭ位置管理表を作成する番組ＣＭ管理表作成部と、ＣＭが再生されるべき回数である規定再生回数に到達するまでは、番組再生時には必ずＣＭを再生する番組再生部を備えることを特徴とする受信装置。
【請求項２９】
　前記番組再生部は、ＣＭが再生されるべき回数である規定再生回数に到達した後は、番組再生時にはＣＭをスキップして再生することを特徴とする請求項２８に記載の受信装置。
【請求項３０】
　番組ごとに番組に含まれるＣＭが各受信装置で再生されるべき回数であるＣＭ再生回数情報を記載した番組情報を受信する受信部をさらに備え、規定再生回数の初期値として、番組情報に記載されたＣＭ再生回数情報を使用することを特徴とする請求項２８または請求項２９に記載の受信装置。
【請求項３１】
　前記受信部が、番組情報とＣＭごとに放映する伝送路と放映時刻を記述したＣＭ位置情報を受信し、前記番組ＣＭ録画部は前記番組情報に従って番組と当該番組に含まれるＣＭを１ストリームとして録画し、前記番組ＣＭ管理表作成部は前記番組情報と前記ＣＭ位置情報に従って番組ＣＭ管理表を作成することを特徴とする請求項２８乃至請求項３０のいずれかに記載の受信装置。
【請求項３２】
　全放送事業者に共通の番組情報であり、放送事業者とチャネルの対応テーブルを含む共通番組情報が、すべてのトランスポートストリームに伝送されており、各放送事業者がサービスするチャネルだけに関する番組情報である個別番組情報が、その放送事業者がサービスするチャネルが含まれるトランスポートストリームだけに伝送されているときに、前記共通番組情報と前記個別番組情報と番組を受信する受信部と、前記受信部が受信する番組のうち、視聴者が選択した番組に対応するチャネルに選局する選局部と、番組表表示の指示があった場合には、前記選局部で選局しているチャネルが含まれるトランスポートストリームに伝送されている前記個別番組情報を選択する番組情報処理部と、前記番組情報処理部が選択した前記個別番組情報を表示する番組表表示部を備えることを特徴とする受信装置。
【請求項３３】
　全放送事業者に共通の番組情報であり、放送事業者とチャネルの対応テーブルを含む共通番組情報が、すべてのトランスポートストリームに伝送されており、各放送事業者がサービスするチャネルだけに関する番組情報である個別番組情報が、その放送事業者がサービスするチャネルが含まれるトランスポートストリームだけに伝送されているときに、前記共通番組情報と前記個別番組情報と番組を受信する受信部と、前記受信部が受信する番組のうち、視聴者が選択した番組に対応するチャネルに選局する選局部と、前記選局部で選局しているチャネルを提供している放送事業者を前記対応テーブルから特定し、前記共通番組情報から当該放送事業者が提供するチャネルを含む番組情報を選択する番組情報処理部と、前記番組情報処理部が選択した前記個別番組情報を表示する番組表表示部を備えることを特徴とする受信装置。
【請求項３４】
　異なる方式によって伝送されるチャネル群に関する番組情報に記述された番組またはチャネルと内容が同一であることを示す、番組リンク情報またはチャネルリンク情報を作成し、番組またはチャネルに対応付けて番組情報に付与するリンク情報作成部と、前記リンク情報作成部によって番組リンク情報またはチャネルリンク情報が付与された番組情報を送出する送出部を備えたことを特徴とする番組情報作成装置。
【請求項３５】
　異なる方式によって伝送されるチャネル群に関する番組情報に記述された番組またはチャネルと内容が同一であることを示す、番組リンク情報またはチャネルリンク情報が付与された番組情報を受信する受信部と、番組リンク情報またはチャネルリンク情報が付与されている番組またはチャネルに関する番組情報を表示する場合には、リンク先の番組情報に記載されている番組情報をリンク元の番組情報と共に表示する番組表表示部を備えたことを特徴とする受信装置。
【請求項３６】
　前記番組リンク情報またはチャネルリンク情報が付与された番組またはチャネルを指定された場合には、内容が同一である番組またはチャネルが存在することを知らせるメッセージを表示するメッセージ出力部を更に備えたことを特徴とする請求項３５に記載の受信装置。
【請求項３７】
　前記番組リンク情報またはチャネルリンク情報が付与された番組またはチャネルを指定された場合には、内容が同一である番組またはチャネルへ選局する選局切替部を備えたことを特徴とする請求項３５または請求項３６に記載の受信装置。
【発明の詳細な説明】
【技術分野】
【０００１】
　本発明は、番組情報を映像音声に多重化付加して放送を行う放送システムに関し、特に番組情報を作成して放送する番組情報作成装置および方法並びに番組情報を基に番組表を表示する受信装置に関するものである。
【背景技術】
【０００２】
　デジタル衛星放送ではMPEG2で映像音声を放送する。MPEG2ではパケット多重化した複数の映像音声を一本のトランスポートストリーム(TS)として流す。この際、映像音声のパケット以外に、番組情報（映像音声情報の多重化のための番組情報であり、MPEG2とDVBで規定される）が流される。番組情報はセクション形式テーブルで記述される。
【０００３】
　図７３は放送局センターシステムを含むデジタル放送システムの構成を示したものである。図７３において、放送局センターシステムは、映像ストリーム生成システム、番組情報作成装置、暗号鍵管理生成システムを別システムとして作成し、各々ＴＳマルチプレクサに出力し、アップリンクシステムで衛星に電波として送出するようにしている。
【０００４】
　番組スケジュール情報は、映像、番組情報編成システムが作成・保持しており、番組情報作成装置は、映像、番組情報編成システムから番組スケジュール情報を受け取り、番組情報（映像音声情報を多重化のための番組情報(ＰＳＩ)と番組表作成のための付加情報(ＳＩ)）を作成する。
【０００５】
　映像音声は、映像、番組情報編成システムが保持する番組スケジュール情報にしたがって、映像ストリーム生成システムからＴＳマルチプレクサに送出される。作成した番組情報は、ＴＳマルチプレクサで映像音声と多重化され、アップリンクシステムに送出され、衛星を通じて各家庭の受信装置で受信される。
【０００６】
　番組表の表示に関する技術としては、従来は下記特許文献１のように番組情報を条件にしたがって検索し、検索条件との一致度に応じて並び替えて表示するだけのものは存在したが、チャネルとして表示したり、高度なナビゲート機能を持つものはなかった。また、広告データの表示技術としては、下記特許文献２のように広告データに表示開始時刻、表示終了時刻を記述し、その時刻内だけ広告データを表示可能とする、というものは存在したが、番組表と広告データの共存に考慮した技術はなかった。ＣＭの録画に関しては、下記特許文献３のように多重化されたタイムコードにしたがって番組内の不要な部分をカットする、というものは存在した。
【特許文献１】特開平7-160732号公報
【特許文献２】特開平8-340310号公報
【特許文献３】特開平9-046648号公報
【発明の開示】
【発明が解決しようとする課題】
【０００７】
　図７３に示されるデジタル放送システムにおいては、受信装置は受信した番組情報に存在するチャネルだけを表示し、ユーザ独自、または受信装置独自の番組情報をチャネルとして分かりやすく表示することはできなかった。また、他チャネル放送に不可欠である番組ナビゲート機能も従来は貧弱なものであり、ユーザは自分の好みと自分の都合の良い視聴時間に合う番組を見つけることが難しかった。
【０００８】
　また、ＣＭや番組放送中に番組表表示を行うとＣＭや番組の映像が隠れてしまい、ＣＭスポンサーが番組表表示を嫌う傾向があった。このため、ＣＭ放映やスポンサー情報や番組放映と番組表表示を共存させる必要がある。
【０００９】
　また、サブ番組（ＣＭや予告）などの録画や視聴形態に応じて料金を設定することができなかったため、番組やＣＭ提供者が料金に応じたきめ細やかなサービスを提供することが不可能だった。
【００１０】
　また、チャネルというものが存在せず、時間ごとに番組が複数放送されているだけで、さらにその番組数が時間を追って増減するような状態のときには、番組が終了したときに、視聴者（受信装置）は次にどの番組に選局したら良いのか分からなくなってしまう、という問題があった。
【００１１】
　また、予約や選局などを行う仕組みとして、従来のＭＰＥＧやＤＶＢなどで規定されているものしかなく、番組表の表示自体の制御（表示開始時刻や表示位置など）や他のチャネルを使用したプロモーションなどを行えるものがなかった。
【００１２】
　また、デジタルとアナログでのサイマル放送においては、番組やチャネル自体すべてが同じ内容であったとしても、異なるネットワークであるため、番組情報相互にリンク付けることができず、同じ番組、チャネルであっても同一であることや関連が分からなかった。
【００１３】
　本発明は、こうした問題点を解決するものであり、伝送する番組情報を改善することと受信装置での番組情報の処理を工夫することにより、ユーザの番組選択の支援、ＣＭ／番組放映と番組表表示との共存、番組やＣＭ提供者による録画／視聴料金に応じたきめ細やかなサービス、柔軟な予約・選局の仕組みの提供、異なるネットワークの番組表との関連付けを可能にした放送システムを提供し、そのシステムを構成する装置と方法を提供することを目的としている。
【課題を解決するための手段】
【００１４】
　上記従来の問題を解決するために、本発明の番組情報作成装置は、番組に対応付けられた広告用ストリームへの参照情報を含む番組情報を作成する広告情報作成部と、広告用ストリームを蓄積する広告用ストリームデータベースと、番組情報と広告用ストリームとを送出する送出部とを備えることを特徴とする。これにより受信装置で表示する番組表に広告用番組情報を組み込むことができる。
【００１５】
　また本発明の番組情報作成装置は、サブ番組（たとえば、ＣＭや予告など）の録画または視聴形態に応じて複数段階に設定された番組録画料金を番組情報に付与する料金情報作成部を備え、それにより番組録画料金を番組情報に付与したことを特徴とする。これにより、サブ番組の録画形態や録画した後の視聴形態に応じて、料金を設定できる。
【００１６】
　また本発明の番組情報作成装置は、通常の番組情報を作成する番組情報作成部以外に、異なる方式によって伝送されるチャネル群に関する番組情報に記述された番組またはチャネルと内容が同一であることを示す番組リンク情報またはチャネルリンク情報を作成するリンク情報作成部を備えたことを特徴とする。これにより、デジタルとアナログとで同じ番組が放送されていた場合に、ユーザは視聴料金や画質を考慮して視聴の選択を行うことができる。
【発明の効果】
【００１７】
　本発明は、受信装置内に広告用ストリームを蓄積することにより、番組表表示時に放送していた番組を提供するスポンサーからのお知らせやＣＭなどを表示することが可能となる。
【００１８】
　また本発明は、視聴者から番組表表示の指示があった場合に受信装置の番組表示部にそれまで表示していた番組映像を縮小し、その横に番組表を表示することにより、視聴者は番組視聴を中断することなく番組表を見ることができる。
【００１９】
　また本発明は、番組表において番組と対応させてスポンサー名などを表示することにより、番組表表示の仕組みを受信装置に入れても、スポンサー名やスポンサーからの情報などが視聴者の目に触れる機会が減ることがない。
【００２０】
　また本発明は、従来行われているＣＭの放送形態にＣＭ情報を付与するだけで、ＣＭの活用範囲が広がる。つまり、蓄積しておいて番組表表示時に再利用することが可能となる。また、スポンサーにとってもＣＭ再生の機会が増える。また、番組表とＣＭとの共存を図ることが可能となる。
【００２１】
　また本発明は、ＣＭの録画や視聴形態に応じて課金する料金を複数定義することを可能にすることで、放送事業者の広告営業の都合によってさまざまな料金設定を行うことができる。例えば、ＣＭなし録画の料金は、広告収入の代替とすることが可能となる。また、ＣＭ位置情報による安易なＣＭカットが減ることになる。
【００２２】
　また本発明は、決められた回数だけは必ずＣＭを再生するようにすることで、放送事業者がスポンサーに対してＣＭ再生を保証することが可能となる。
【００２３】
　また本発明は、視聴者の視聴状態によって表示する番組表の内容を切り替えることが可能となる。さらに、本実施の形態のように放送事業者とチャネルの対応テーブルを作成することにより、トランスポートストリームは異なるが視聴者が見ているチャネルと同じ放送事業者によるチャネルの番組表を表示する、というような運用も可能である。
【００２４】
　また本発明は、番組放送に同期してプロモーションに使用するチャネルのリストと番組表示の指示を含む番組情報関連データを送ることにより、他のチャネルで放映されている映像を利用して画面を分割したプロモーションなどが可能となる。
【００２５】
　また本発明は、異なるネットワークの番組情報間での関係を記述可能とすることによって、アナログとデジタルで同じ番組を放送するサイマル放送を行う場合にも、同一内容であることが分かり、視聴料金や画質などを考慮して視聴者がどちらを見るかを選択することが可能となる。
【発明を実施するための最良の形態】
【００２６】
　以下、本発明の実施の形態について、図面を用いて説明する。
　（第１の実施の形態）
　本発明の第１の実施の形態は、番組の料金を検索して、料金が安い番組から成る”マイチャネル”を作成し、表示するようにしたものである。
【００２７】
　図１において、受信装置100の受信部１で図３の上半部のような番組情報が受信され、番組情報蓄積部２に渡す。探索条件入力部３からは「番組料金が100円以下」という探索条件を入力し、番組情報処理部５が番組情報蓄積部２から番組情報を受け取り、番組情報探索部４が番組情報処理部５の番組情報を探索し、番組料金が100円以下の番組だけから成る番組を選び、探索結果番組情報を作成する。
【００２８】
　番組探索、探索結果番組情報作成のアルゴリズムは図２のフローチャートに示される。すなわち、番組情報に記述された番組を開始時間順にソートし(ステップ101)、ソートされた番組が存在するか否かを判断する(ステップ102)。ソートされた番組が存在しない場合には終了するが、ソートされた番組が存在する場合には、入力した探索条件を満足するか否かを判断する(ステップ104)。探索条件を満足しない場合には、ソートされた次の番組に処理を移して(ステップ103)からステップ102に戻り、再度以降のステップを繰り返す。しかし、探索条件を満足する場合には、探索結果番組情報の番組リストに追加して(ステップ105)、ソートされた次の番組に処理を移して(ステップ103)からステップ102に戻り、再度以降のステップを繰り返し、ソートされた番組が存在しない場合には終了する。
【００２９】
　この結果、番組情報探索部４によって、図３の下半部のような探索結果番組情報が作成される。これを番組表表示部６にて表示すると図４のようになる。例えば、図３の上半部の番組情報から「日本丸」の番組番号101の番組（番組名(１)）と「フジサン」の番組番号201の番組（番組名(５)）が選択され（15:00以降の番組についても同様に探索する）、図３の下半部のような”マイチャネル”として表示されている探索結果番組情報を構成する。すなわち、受信部によって受信された番組情報には記述されていない、ユーザ独自の”マイチャネル”（独自チャネル）が番組表の１チャネルとして表示されることになる。
【００３０】
　番組表上で視聴者が”マイチャネル”を選択したときには、”マイチャネル”に含まれている番組で、現在時刻が含まれる番組に選局切替え部33が選局を切り替え、番組表示部８によって番組を表示する。例えば、13:00に図４において”マイチャネル”を選択したときには、日本丸の番組(１)に選局する。そのまま14:00になったら、フジサンの番組(５)に選局が切り替わる。
【００３１】
　また、番組情報探索のアルゴリズムにおける探索では、探索結果番組情報のリストに追加された番組の終了時刻以降に始まる番組について探索を繰り返すものとする。例えば、アルゴリズムにおいて14:00に終了する番組が探索結果番組情報のリストに追加されたら、14:00以前に始まる番組については探索を行わず、14:00以降に始まる番組についてだけ操作を繰り返す。
【００３２】
　さらに、図５の上半部のような番組情報が受信され、「番組料金が150円以下」という探索条件を入力して探索した場合には、図５の下半部のような探索結果番組情報が作成され、番組表表示部６によって、図６のような番組表が表示される。すなわち、15:00から16:00の番組については、「フジサン」の番組名(６)の番組と「朝陽」の番組名(10)の番組の二つが探索結果として出力さているので、15:00から16:00の番組が異なる”マイチャネル１”と”マイチャネル２”の二つが番組表内に表示されるようになる。
【００３３】
　本実施の形態では、探索した結果をユーザ独自の”マイチャネル”として別チャネルであるかのように表示しているが、図９のように色やフォントを変えて、探索の結果選択されなかった番組と区別ができるようにも良い。
【００３４】
　また、探索条件もここでは番組料金としているが、番組ジャンルや居住地、対象性別、対象年齢などでも良い。視聴者が逐次入力しても良いし、視聴履歴から判断しても良い。
【００３５】
　また、図１０に示されるように番組表内に各番組ごとに視聴料金が表示されかつ番組料金をすべて加算して番組表に表示することも可能である。この例では、番組表内に料金をすべて加算した視聴料金が表示されるものを説明したが、料金をすべて加算した視聴料金を棒グラフに表して表示するよういしても良く、かつその棒グラフを料金額に応じて色により表示しても良い。
【００３６】
　このように本発明の第１の実施の形態により、視聴者が設定した検索条件などによって検索した番組をチャネルとして番組表に表示することにより、視聴者は多数の番組の中から番組を選択することが容易になる。また、チャネルとしたため、気に入った番組だけに選局し続けることも可能になり、料金表示など番組選択を支援する機能を加えることにより、さらに分かりやすい番組表になった。
【００３７】
　（第２の実施の形態）
　本発明の第２の実施の形態は、上記第１の実施の形態において、探索された以外の番組を視聴者が選択し、それを必ず含むように探索をやり直すものである。
【００３８】
　第１の実施の形態で作成された図４のような番組表が表示されているときに、視聴者がリモコン９などで「朝陽」の番組名(11)の番組を含んだ”マイチャネル”に変更したい旨を入力する。番組情報探索部４は、図７のようなアルゴリズムにしたがって、探索を行う。すなわち、番組情報に記述された番組を開始時間順にソートし(ステップ111)、ソートされた番組が存在するか否かを判断する(ステップ112)。ソートされた番組が存在しない場合には終了するが、ソートされた番組が存在する場合には、指定された番組であるか否かを判断する(ステップ114)。指定された番組である場合には、ステップ117に進んで探索結果番組情報の番組リストに追加し、ソートされた次の番組に処理を移して(ステップ113)からステップ112に戻り、再度以降のステップを繰り返す。しかし、指定された番組でない場合には、ステップ115に進んで指定された番組と放映時間が重なるか否かを判断する(ステップ115)。重なる場合には、ソートされた次の番組に処理を移して(ステップ113)からステップ112に戻り、再度以降のステップを繰り返す。しかし、重ならない場合には、ステップ116に進んで入力した探索条件を満足するか否かを判断する(ステップ116)。探索条件を満足しない場合には、ソートされた次の番組に処理を移して(ステップ113)からステップ112に戻り、再度以降のステップを繰り返す。しかし、探索条件を満足する場合には、探索結果番組情報の番組リストに追加して(ステップ117)、ソートされた次の番組に処理を移して(ステップ113)からステップ112に戻り、再度以降のステップを繰り返し、ソートされた番組が存在しない場合には終了する。
【００３９】
　その結果、図８のような番組表が番組表表示部６によって表示される。図４と比較すると、”マイチャネル”の16:00から17:00の番組が番組名(７)の番組から番組名(11)の番組に変更されているのが分かる。
【００４０】
　このように本発明の第２の実施の形態により、検索によって選択された番組が気に入らない場合でも、スケジュールに組み込まれた番組を部分的に手動で変更し、スケジューリングをやり直すことが可能となる。
【００４１】
　（第３の実施の形態）
　本発明の第３の実施の形態は、タイムシフト番組を視聴者が選択し、それを必ず含むようにスケジューリングを行い、複数パターンがある場合には、料金順に表示するようにしたものである。
【００４２】
　本発明の第３の実施の形態では、図１１に示すようなタイムシフト番組（同じ番組が時間をずらして何回も放映されている）の一覧が表示されているときに、視聴者が番組を選択する。この場合には、放映時刻が異なると番組の料金も異なるものとする。例えば、図１１においてタイムシフト番組として「Ｃ＋＋入門」を選択し、「スケジューリング開始」を選択して図１の番組情報探索部４がスケジューリングを行って、探索結果番組情報（図１４）を作成した結果、図１２のような番組表を番組表表示部６が表示する（図１４の探索結果ＩＤが１の探索結果を表示している）。視聴料金の合計は８００円である。図１２の「次ルート」を選択すると、「Ｃ＋＋入門」を含んで次に料金の高いルート（探索結果ＩＤが２の探索結果）が表示される（図１３）。三つ以上の候補がある場合は、この動作が続く。視聴者は、複数のルートを比較して、視聴予約や録画予約を行う。
【００４３】
　ここでは、図１１において番組を一つしか選択していないが、複数選択することも可能である。その場合、それらすべてを含むよう図１の番組情報探索部４がスケジューリングを行う。もし、すべてを含むスケジューリングが不可能な場合には、その旨をメッセージとして表示するなどして視聴者に知らせるか、番組数を減らしたならばスケジューリングが可能な場合にはその旨を知らせる。
【００４４】
　また、上記した各実施の形態では、番組情報は受信装置の受信部が受信したものについて説明しているが、ＦＤやＤＶＤなどの蓄積媒体により番組情報を入力する場合や、あらかじめ端末で保持する場合などもある。
【００４５】
　また、上記した各実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【００４６】
　また、図１２、図１３では番組表内での番組の色を変えてスケジューリングした結果を表示しているが、上記第１および第２の実施の形態と同様にチャネルとして表示しても良い。
【００４７】
　このように本発明の第３の実施の形態により、見たい番組は決まっているがスケジュールが決められない、というようなときでも、課金料金や視聴者の予定などによって複数ルートから番組視聴スケジュールを選択することが可能となり、視聴者の番組選択の手間が大幅に削減される。
【００４８】
　（第４の実施の形態）
　図２６は、本発明の第４の実施の形態における番組情報作成装置500の構成を示すものである。図２６において番組情報作成装置500の広告情報作成部53は、プログラム中に広告用ストリームである映像や音声のエレメンタリストリーム（ＥＳ）のＰＩＤ（パケットID）を例えばプログラム情報（図１５）中に記述して送出する。すなわち、広告用ストリームデータベース54からは、広告用ストリームの映像や音声をプログラム情報中に記述されたＰＩＤで送出する。
【００４９】
　受信装置100（図２７）は、プログラム情報を参照してそれが広告用ストリームであった場合には、視聴者がそのチャネルを見ているときでもデコードしない。番組表示部８が、広告用ストリームではない通常番組用の映像や音声をデコードしてＴＶモニタ10に表示もしくは音声出力する。プログラム情報が図１５のようであったときには、パケットＩＤが122と455のエレメンタリストリームだけをデコードして映像表示、音声出力する（図１６）。しかし、視聴者が番組表表示を指示した場合には、広告用ストリームとなっているパケットＩＤが200の映像とパケットＩＤが788の音声をデコードして番組表の一部として表示、音声出力する（図１７のＡ）。映像や音声だけではなく、テキストを含むデータストリームを広告用ストリームとして記述し（図１５のパケットＩＤが199のデータ）、受信装置100での番組表上において視聴者が「ＣＭ情報」ボタンなどを選択したときに、スポンサーからのお知らせなどを表示しても良い（図１８のＣ）。また、静止画やスポンサーロゴやスポンサーのインターネットホームページのＵＲＬ、スポンサー名などのデータを広告用ストリームとして放送しても良い。この場合、番組表上のボタンを選択することによって、スポンサーのインターネットホームページを表示したり、スポンサー名、スポンサーロゴなどを番組表上に表示することが可能となる。
【００５０】
　また、この例では番組情報作成装置においてプログラム情報中に広告用ストリームであるかどうかを記述したが、イベント情報中にエレメンタリストリームの種別として記述しても良い。
【００５１】
　また、番組情報作成装置において、広告用ストリームを複数定義し（映像音声を２ストリームずつ、など）、受信装置100（図２７）の番組表示部８が視聴者の居住地や年齢や番組の種類（データ放送、ＨＤＴＶ、ＳＤＴＶなど）などに応じて切り替えても良い。
【００５２】
　広告用ストリームは受信部１から受信して広告用ストリーム蓄積部62に蓄積しても良いし、ＦＤやＤＶＤなどの蓄積媒体から読み込んでも良い。またあらかじめ受信装置内に保持する場合もある。
【００５３】
　これにより、番組表表示時に放送していた番組を提供するスポンサーからのお知らせやＣＭなどを表示することが可能となる。もし、ＣＭなどを放送しているときに視聴者が番組表表示を指示した場合、ＣＭが番組表によって隠されてしまう、というスポンサーの心配がなくなる。また、広告を主な収入源とする放送事業者によっても、これまでの営業形態を変える必要がない。
【００５４】
　（第５の実施の形態）
　本発明の第５の実施の形態では、図１９に示されるように視聴者から番組表表示の指示があった場合に受信装置100の番組表示部８は、それまで表示していた番組表表示部６が番組映像を縮小し、その横に番組表を表示する。
【００５５】
　これにより、視聴者は番組視聴を中断することなく番組表を見ることができる。また、放送事業者やスポンサーにとっても、番組表表示の仕組みの導入が視聴者によるＣＭ視聴の機会減少につながらないため、番組表表示の仕組みがないときと同様の広告営業が行える。
【００５６】
　（第６の実施の形態）
　図２８は、本発明の第６の実施の形態における番組情報作成装置500の構成を示すものである。図２８において番組情報作成装置500の広告情報作成部53は、図２０に示されるように番組情報に、スポンサーＩＤやスポンサー名などの広告情報を付与して送出する。図２９の受信装置100では、番組情報蓄積部２から広告情報だけが抽出され、広告情報蓄積部13に渡され、番組表内で図２２のように表示される。各番組のスポンサー名が、番組表内で番組名とともに表示されている。例えば、チャンネル30の「めざまし時計テレビ！」の枠内にスポンサー名「梅下でんき」が表示されている。
【００５７】
　スポンサー名などは、この実施の形態では一つだけだが、複数あっても構わない。また、スポンサー情報としては、スポンサーの住所、電話番号、インターネットホームページのＵＲＬ、スポンサーロゴデータ、なども考えられる。
【００５８】
　本実施の形態では、番組表の番組枠内にテキストのスポンサー名を表示したが、番組表上の番組と対応させた領域に映像やテキストを流して表示しても良い。また、動画として番組自身の映像を表示しても良い。
【００５９】
　なお、スポンサー情報として番組のサービス形態を記述してサービス形態を番組表の番組枠内に表示することも可能である。
【００６０】
　このように本発明の第６の実施の形態により、番組表において番組と対応させてスポンサー名などを表示することにより、番組表表示の仕組みを受信装置に入れても、スポンサー名やスポンサーからの情報などが視聴者の目に触れる機会が減ることがない。
【００６１】
　（第７の実施の形態）
　サブ番組とは、図２１に示されるように番組を時間的にいくつかに区切ったものの一つであって、例えば、コマーシャル（ＣＭ）や番組予告などである。以下では、サブ番組がコマーシャル（ＣＭ）である場合を例にして説明する。
【００６２】
　図３０における番組情報作成装置500では、番組情報作成部50が番組情報を、ＣＭ情報作成部55がＣＭ情報を作成し送出する。番組情報（図２３）には番組の名前、放映時刻とともにその番組が参照する、ＣＭ情報中のＣＭを示すＣＭ参照情報（この例ではＣＭ＿ＩＤ）が記述されている。ＣＭ情報（図２４）には、ＣＭの識別情報（ＣＭ＿ＩＤ）やＣＭ位置情報（放映時刻など）が記述されている。
【００６３】
　図３１に示される受信装置100は、受信部１によりＣＭ情報とＣＭを受信し、ＣＭ情報蓄積部16にＣＭ情報を蓄積する。ＣＭ録画管理部15はＣＭ録画管理表（図２５）を使ってＣＭ識別情報と共にＣＭを管理しかつＣＭを録画(蓄積)する。ＣＭ録画管理表（図２５）のファイルＩＤなどは受信装置100の蓄積装置のファイルシステムなどに依存し、ファイルＩＤを指定することによって録画したものを再生できるものとする。
【００６４】
　視聴者の選局指示があったときには、番組情報に従って番組を構成する映像や音声をデコードして表示する。その途中で視聴者から番組表表示の指示があった場合には、
　(１)ＣＭ検索部17が、現在表示中の番組のＣＭ参照情報（ＣＭ＿ＩＤ）を番組情報蓄積部２にある番組情報から得る。「めざまし時計テレビ！」を見ているときであれば、図２３の番組情報からＣＭ＿ＩＤは135であると分かる。
　(２)ＣＭ検索部17は、ＣＭ録画管理部15が録画し管理中のＣＭから同じＣＭ＿ＩＤを持つものをＣＭ録画管理表から検索し、ＣＭを得る。図２５のようなＣＭ録画管理表であった場合には、ＣＭ＿ＩＤが135でファイルＩＤが567のＣＭ名「さようなら」が検索結果として得られる。
　(３)上記(２)で得たＣＭを番組表表示部６が番組表内に組み込んで表示する（図１７の右端Ａ参照）。このとき音声も出力する。なお、図１７の表示例に代えて図１８の表示例にしても良い。この場合には、図１８の右端に示されるＣＭ情報というボタンを選択すればさらにスポンサーからのお知らせを表示するようにすることもできる。
【００６５】
　また、ここではＣＭの識別方法としてＣＭ情報をテーブル形式によるとしているが、ＣＭの放送の映像音声データの一部として、現在ＣＭを放送中であることを示すコードとＣＭ＿ＩＤを同時に放送し（ＭＰＥＧ規格内のユーザデータ領域に記述するなど）、受信装置がそれを受信、判別してＣＭの録画、管理を行っても良い。ＣＭ参照情報によって番組が参照するＣＭは、自身の番組に含まれるＣＭであってもなくても良い。
【００６６】
　また、この例では１番組が１つのＣＭしか参照していないが、複数のＣＭを参照しても良い。
【００６７】
　また、この例では番組がサブ番組を参照する、としているが、番組が他の番組を参照するようにしても良い。つまり、ＣＭを番組の一部として定義しているが、ＣＭも番組として定義し（番組情報内に番組、ＣＭとも同じように記述し）ても良い（番組かＣＭかを区別する情報は付与する）。
【００６８】
　なお、上記第４乃至第７の実施の形態では、広告情報もしくはＣＭ情報を番組情報と別々もしくは一部としてのどちらかで記述しているが、別々に番組情報生成装置から送出しても、番組情報の一部として送出しても構わない。どちらの場合でも、受信装置は対応可能とし、別々に送出された場合には、受信部から直接広告情報蓄積部（広告情報のとき）またはＣＭ情報蓄積部（ＣＭ情報のとき）に広告情報もしくはＣＭ情報が渡り、番組情報の一部として送出された場合には、番組情報蓄積部から広告情報蓄積部またはＣＭ情報蓄積部に広告情報もしくはＣＭ情報が渡るものとする。
【００６９】
　上記の例において、受信装置としては、広告情報もしくはＣＭ情報を取り扱う場合について説明したが、番組に付随する情報すべてについて適用することができることはいうまでもない。
【００７０】
　また、上記第４乃至第７の実施の形態では、番組情報、ＣＭ情報、ＣＭは受信装置の受信部が受信したものについて説明しているが、ＦＤやＤＶＤなどの蓄積媒体により番組情報を入力する場合や、あらかじめ端末で保持する場合などもある。
【００７１】
　また、上記第４乃至第７の実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【００７２】
　このように本発明の第７の実施の形態により、従来行われているＣＭの放送形態にＣＭ情報を付与するだけで、ＣＭの活用範囲が広がる。つまり、蓄積しておいて番組表表示時に再利用することが可能となるまた、スポンサーにとってもＣＭ再生の機会が増える。また、番組表とＣＭとの共存を図ることが可能となる。
【００７３】
　（第８の実施の形態）
　上記した第７の実施の形態と同じくサブ番組がコマーシャル（ＣＭ）である場合を例にして説明する。図４３は、本発明の第８の実施の形態における番組情報作成装置500の構成を示すものである。図４３において番組情報作成装置500の番組情報作成部50とＣＭ位置情報作成部57はそれぞれ、番組情報とＣＭ位置情報を作成し、送出部52が送出する。図３２に示されるように、番組情報には、番組名、放映時刻に加え、録画料金（ＣＭ付き録画、ＣＭなし録画）、録画後にＣＭを早送りして見る場合の料金（録画後ＣＭ早送り視聴料金）が含まれている。これら録画料金や録画後ＣＭ早送り視聴料金は料金情報作成部56が作成し番組情報に付与する。ＣＭ位置情報には、ＣＭの放映時刻などが含まれる（図３３）。
【００７４】
　図４４に示される受信装置100において、通常番組を録画する場合には、
(１)受信装置100は番組情報を受信部１で受信し、番組情報蓄積部２に蓄積し、番組表表示部６が番組情報を参照して録画予約番組の一覧を表示する（図３４）。ＣＭ位置情報は受信部１からＣＭ位置情報蓄積部18に蓄積される。
(２)視聴者がＣＭを録画するかどうかを選択する（図３５）。この例では、図３４において網掛けされている番組「めざまし時計テレビ！」をＣＭなし録画で録画するよう予約している。
(３)受信装置100は番組情報とＣＭ位置情報を参照する。図３３には「めざまし時計テレビ！」の途中に挿入されるＣＭの放送予定が含まれている。
(４)番組録画部19が番組録画を開始する。
(５)（(２)で視聴者が”ＣＭつき録画”とした場合）...ＣＭも録画する。
　（(２)で視聴者が”ＣＭなし録画”とした場合）...ＣＭ位置情報に記述されている内容を参照して、ＣＭはスキップして通常番組だけを録画する。
(６)視聴者の選択状況と番組情報に記述された録画料金を参照し、課金部21が課金処理を行う（課金のタイミングや仕組みは課金システムによって異なる）。この例では、「めざまし時計テレビ！」をＣＭなし録画で録画したので、図３２の録画料金のＣＭなし録画に書かれている２００円を課金する。
【００７５】
　ところで、上記ではＣＭ位置情報をテーブル形式によるとしているが、ＣＭの放送の映像音声データの一部として現在ＣＭを放送中であることを示すコードを同時に放送し（例えばデジタル放送の場合には、ＭＰＥＧ規格内のユーザデータ領域に記述するなど）、受信装置がそのコードを受信、判別してＣＭの録画、非録画処理を行っても良い。
【００７６】
　このように、ＣＭの録画や視聴形態に応じて課金する料金を複数定義することを可能にすることで、放送事業者の広告営業の都合によってさまざまな料金設定を行うことができる。例えば、ＣＭなし録画の料金は、広告収入の代替とすることが可能となる。また、ＣＭ位置情報による安易なＣＭカットが減ることになる。
【００７７】
　（第９の実施の形態）
　上記した第７の実施の形態と同じくサブ番組がコマーシャル（ＣＭ）である場合を例にして説明する。図４５は、本発明の第９の実施の形態における番組情報作成装置500の構成を示すものである。図４５において番組情報作成装置500の番組情報作成部50とＣＭ位置情報作成部57はそれぞれ、番組情報とＣＭ位置情報を作成し、送出部52が送出する。図３６に示されるように番組情報には、番組名、放映開始時刻、ＣＭ再生回数などが含まれている。ＣＭ再生回数はＣＭ再生回数情報作成部58が作成し、番組情報に付与する。図３２に示されるようにＣＭ位置情報には、ＣＭの放映開始時刻などが含まれる。視聴者が「めざまし時計テレビ！」の録画を指示した場合には、図４６に示される受信装置100においては、
(１)番組情報蓄積部２内の番組情報に記述された番組を番組録画部19が、ＣＭ位置情報蓄積部18内のＣＭ位置情報に記述されているＣＭをＣＭ録画部22が別々に録画する。
(２)(１)と同時に、再生順序表作成部26が番組およびＣＭのそれぞれを管理する番組録画管理表（図３７）とＣＭ録画管理表（図３８）、再生順序を記述した番組ＣＭ再生順序表（図３９）、ＣＭ再生回数表（図４０）を作成する。番組録画管理表（図３７）の録画番組ファイルＩＤとＣＭ録画管理表（図３８）の録画ＣＭファイルＩＤのＩＤの付け方などは受信装置内の蓄積装置のファイルシステムなどに依存し、ファイルＩＤを指定することによって、録画した番組やＣＭを指定して再生できるものとする。ＣＭ再生回数表（図４０）の規定再生回数は、番組情報（図３６）のＣＭ再生回数として記述された数値をコピーする。
(３)番組再生部25が録画した番組を再生するときには、番組ＣＭ再生順序表（図３９）に記述された順序に従って、番組とＣＭの再生を行う。ＣＭ再生回数表（図４０）の現在の再生回数は表作成時は０であり、番組の再生を行うたびに１インクリメントする。規定再生回数だけ再生した後に再生する場合は、ＣＭの再生はスキップして番組だけの再生を行う。
【００７８】
　ところで、上記ではＣＭの位置を識別するためのＣＭ位置情報をテーブル形式によるとしているが、ＣＭの放送の映像音声データの一部として現在ＣＭを放送中であることを示すコードを同時に放送し（例えばデジタル放送の場合には、ＭＰＥＧ規格内のユーザデータ領域に記述するなど）、受信装置がそのコードを受信、判別してＣＭの録画、非録画処理を行っても良い。
【００７９】
　また、ＣＭ再生回数を番組情報に付与して番組情報作成装置から送出しているが、あらかじめ決められた回数でも良いし、受信装置に直接入力しても良い。
【００８０】
　このように、決められた回数だけは必ずＣＭを再生するようにすることで、放送事業者がスポンサーに対してＣＭ再生を保証することが可能となる。
【００８１】
　（第１０の実施の形態）
　上記した第９の実施の形態と同じくサブ番組がコマーシャル（ＣＭ）である場合を例にして説明する。番組情報作成装置500は、上記した本発明の第９の実施の形態における番組情報作成装置の構成と同じなので省略する。
【００８２】
　図４７に示される受信装置100においては、
(１)番組ＣＭ録画部28が、番組情報蓄積部２内の番組情報に記述された番組を録画する（１ストリームとして）。
(２)(１)と同時に、番組ＣＭ管理表作成部30がＣＭ位置情報蓄積部18内のＣＭ位置情報を参照しながら番組ＣＭ録画管理表（図４２）、番組内ＣＭ位置表（図４１）、ＣＭ再生回数表（図４０）を作成する。表中、ファイルＩＤの意味、ＣＭ再生回数表の規定再生回数も上記第９の実施の形態と同じ。
(３)番組再生部25が録画した番組を再生するときには、番組ＣＭ録画管理表（図４２）から参照される番組を再生する。ＣＭ再生回数表（図４０）の現在の再生回数は表作成時は０であり、番組の再生を行うたびに１インクリメントする。規定再生回数だけ再生した後に再生する場合は、番組内ＣＭ位置表（図４１）を参照して、ＣＭの再生はスキップして番組だけの再生を行う。
【００８３】
　なお、番組情報として、図３２のような「録画後ＣＭ早送り視聴料金」や「ＣＭ付き視聴料金」、「ＣＭなし視聴料金」などを付与している場合には、上記第９の実施の形態の受信装置（図４６）および、第１０の実施の形態の受信装置（図４７）の課金部21が視聴形態に応じた課金を行う。
【００８４】
　上記した第８乃至第１０の実施の形態では、番組情報、ＣＭ位置情報は受信装置の受信部が受信したものについて説明しているが、ＦＤやＤＶＤなどの蓄積媒体により番組情報を入力する場合や、あらかじめ端末で保持する場合などもある。
【００８５】
　また、上記第８乃至第１０の実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【００８６】
　また、ＣＭ再生回数を番組情報に付与して番組情報作成装置から送出しているが、あらかじめ決められた回数でも良いし、受信装置に直接入力しても良い。
【００８７】
　このように、決められた回数だけは必ずＣＭを再生するようにすることで、放送事業者がスポンサーに対してＣＭ再生を保証することが可能となる。
【００８８】
　（第１１の実施の形態）
　図５０は、本発明の第１１の実施の形態における番組情報作成装置500の構成を示すものである。図５０において番組情報作成装置500のメッセージタイミング情報作成部59は次番組についてのメッセージを受信装置が出力するタイミングについての情報（メッセージタイミング情報）を作成し、次番組情報に付与する。次番組情報作成部60は、番組の放送時にその番組の放送時もしくは終了時に選局すべき番組についての情報（次番組情報）を作成し、番組情報に付与する。番組情報作成部50は、図４９のような次番組情報を作成し、送出部52が送出する。なお、送出時の多重化の方法としては、例えばデジタル放送の場合は、ＭＰＥＧの規定内のユーザデータ領域に記述するか、セクション形式のテーブルとして送る、などの方法がある。
【００８９】
　図５１に示される受信装置100の受信部１は、番組の表示中にも同時に次番組情報を受信する。番組の放送中または番組が終了した時には、メッセージ出力部32が図４８のように画面にメッセージを出力し、次番組情報として記述されている番組への選局切替えか、そのまま同じ番組を見るか、という選択を視聴者に促す。視聴者が選局切替えを指定した場合には、選局切替え部33が次番組として次番組情報に記述されている番組に選局し、番組表示部８が番組の映像音声を出力する。
【００９０】
　また、図４９のようにメッセージ出力のタイミングが記述されている場合には、そのタイミング通りにメッセージ出力部32がメッセージを出力する。
【００９１】
　このように、図４９のような次番組情報にメッセージ出力タイミングを記述することにより、番組内での大切なお知らせや広告名などがメッセージによって隠れないように制御することが可能となる。
【００９２】
　また、本実施の形態では次番組情報は一つしか送出していないが、複数送出し、図４８のような画面で選局切替えを行う番組の候補を複数表示し、視聴者に選択を促すこともできる。
【００９３】
　このように次番組情報を記述することにより、例えば高校野球の放送のように、複数のチャネルで放送を実施している放送事業者が、番組編成上の都合によって同じ番組を別のチャネルに移って放送する場合や、一つのチャネルが放送を終了するので視聴者に別チャネルに移って欲しい場合などに対応可能となる。
【００９４】
　また、現在のデジタル放送では論理的なチャネルが定義されており、視聴者はずっと同じチャネルを見続けることが一般的になっている。また、番組表表示においても、チャネルごとに区切られ時間枠で区切られて表示されることが一般的である。しかし、このようなチャネルという概念がなく、同時に放送される番組の数も増減するような場合には、視聴者は番組視聴が終了した後にどの番組を見ればよいのか、受信装置はどの番組に選局すれば良いのかが分からなくなってしまう。しかし、本実施の形態のような次番組情報によって、これらの課題は解決され、視聴者は常に番組を見ることが可能であり、受信装置においても選局していない状態が発生することがない。
【００９５】
　また、緊急放送へも対応可能である。ネットワーク情報などに緊急放送を行っている番組への参照情報を記述することも可能であるが、本実施の形態によれば、番組ごとに緊急放送への参照情報を設定できるので、ネットワーク情報を各放送事業者が作成しない運用においては、各放送事業者が判断して緊急放送を行うことが可能になる。
【００９６】
　さらに本実施の形態では、次番組情報が番組情報に付与されている場合には、その旨画面にメッセージを表示しているが、録画している番組の場合にはメッセージを表示することなく自動選局し、録画を続行することも可能である。自動選局して次番組に選局してしまうのか、そうしないのか、の設定もあらかじめ可能である。
【００９７】
　なお、第１１の実施の形態では、番組情報は受信装置の受信部が受信したものについて説明しているが、ＦＤやＤＶＤなどの蓄積媒体により番組情報を入力する場合や、あらかじめ端末で保持する場合などもある。
【００９８】
　また、上記第１１の実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【００９９】
　（第１２の実施の形態）
　本発明の第１２の実施の形態は、視聴者が現在視聴しているチャネルに応じて、表示される番組表が異なるようにしたものである。図５２に示される番組情報作成装置500の番組情報作成部50は、全放送事業者に共通の番組情報（共通番組情報）と各放送事業者がサービスするチャネルだけに関する番組情報（個別番組情報）を作成し、送出部52が送出する。共通番組情報は、ネットワーク全体に関するテーブル（図６０）や、放送事業者とチャネルの対応テーブル（図６１）から成り、すべてのＴＳ（トランスポートストリーム）に送出される。個別番組情報は、チャネルごとの番組放送スケジュール（図６２）やチャネルの情報（図６３）などから成り、その放送事業者がサービスするチャネルのＴＳだけに送出される（図６４）。
【０１００】
　図５３に示される受信装置100の番組情報処理部５は、視聴者から番組表表示の指示があった場合には、選局部11での選局状態を参照し、視聴者が選局しているＴＳに送出されている個別番組情報を番組表表示部６が番組表として表示する。例えば、視聴者がサービス＿ＩＤが４であるチャネル（図６４によると、ＴＳ＿ＩＤが30のＴＳに送出されている）を見ているときに、番組表表示を指示した場合には、共通番組情報である図６１の放送事業者とチャネルの対応テーブルから視聴者が「りゅうくんテレビ」（図６４のＢ局）を見ていることが分かり、サービス＿ＩＤが４から９のチャネルについての番組情報を図６２（サービス＿ＩＤが４のものだけでなく、５から９についてのものも同様に存在するものとする）と図６３のチャネルの情報を参照して番組表を表示する。
【０１０１】
　これにより、視聴者の視聴状態（本実施の形態では視聴チャネル）によって表示する番組表の内容を切り替えることが可能となる。また、本実施の形態のように放送事業者とチャネルの対応テーブルを作成することにより、トランスポートストリームは異なるが視聴者が見ているチャネルと同じ放送事業者によるチャネルの番組表を表示する、というような運用も可能である。
【０１０２】
　（第１３の実施の形態）
　本発明の第１３の実施の形態は、番組情報関連データとして予約する番組についての情報が含ませるようにし、受信装置で予約を行うようにしたものである。すなわち、番組中（例えばプログラム番号１０）に映像音声に付随して番組情報関連データが送られる。番組情報関連データは、図５２における番組情報作成装置500の関連情報作成部51によって作成され、MPEG２プライベートセクションの形式で送出される。この時の番組のコンポーネント構成(PMT)は図５４のようになっている。これにより番組情報関連データのコンポーネントのＰＩＤは１０２であると分かり、これにより図５５のような番組情報関連データを参照することができるようになる。
【０１０３】
　番組情報関連データの番組情報関連データ種は図５５から分かるように「番組予約」であり、表示開始時刻は１９９７年１２月４日１０時１０分０秒、表示終了時刻は１９９７年１２月４日１０時１２分０秒、表示位置（中心座標）が（３００，２００）であるので、受信装置（図５３）の番組表表示部６は、１９９７年１２月４日１０時１０分０秒から１９９７年１２月４日１０時１２分０秒にかけて、中心座標が（３００，２００）になるよう「予約」アイコンを表示する（受信装置はあらかじめ、予約アイコンのビットマップイメージをもっており、それを指定された座標位置に表示する）。
【０１０４】
　視聴者が「予約」アイコンを選択した場合、番組情報関連データとして送られている番組識別情報（サービス識別子が100、番組識別子が10000、番組開始時刻が１２月５日１時５分）を予約管理部７で予約番組として記憶する。
【０１０５】
　このように、番組放送に同期して番組予約のための番組情報関連データを送ることにより、視聴者が見ている番組に応じた番組表表示と番組予約が可能になる。また、合わせて番組表表示を制御するためのデータも送ることができるので、センターシステム側から番組表表示をきめ細かく制御可能である。
【０１０６】
　（第１４の実施の形態）
　本発明の第１４の実施の形態は、番組情報関連データとして番組表表示の指示と表示するチャネルのリストが含まれており、受信装置で番組を選択するようにしたものである。番組が何もやっていないチャネルで、番組情報関連データとして、番組表表示用データを送る。番組情報関連データは、図５２の番組情報作成装置500の関連情報作成部51によって作成される。このときのコンポーネント構成は図５４のようになっていて、番組情報関連データは図５７のようになっている。参照方法は上記第１３の実施の形態と同じである。
【０１０７】
　図５３に示される受信装置100でこのチャネルに選局した場合、番組はやっていないので映像は出ないが、番組情報関連データの番組情報関連データ種が「番組表表示」であり、表示開始時刻は１９９７年１２月４日１０時１０分０秒、表示終了時刻は１９９７年１２月４日１０時１２分０秒、表示位置（中心座標）が（３００，２００）であるので、受信装置（図５３）の番組表表示部６は１９９７年１２月４日１０時１０分０秒から１９９７年１２月４日１０時１２分０秒にかけて、中心座標が（３００，２００）になるよう番組表を表示する。この時、番組情報関連データ内のチャネルリストを用いて、表示するチャネルを決める（図５７のチャネルリストにある、チャネル１００、１０１、１０２、１０３についての番組表を表示する）。視聴者は、表示された番組表から番組を選ぶことで、他の実際にやっている番組を視聴できる。
【０１０８】
　このように、番組放送に同期して選択の候補となるチャネルのリストと番組表表示の指示を含む番組情報関連データを送りことにより、視聴者が見ている番組に応じたチャネルの中から番組を選択させることが可能となる。
【０１０９】
　（第１５の実施の形態）
　本発明の第１５の実施の形態は、複数映像と音声によるプロモーションを可能とするようにしたものである。図５２に示される番組情報作成装置500の関連情報作成部51は、番組情報関連データとして、他番組映像表示用データを送る。このときのコンポーネント構成は図５８のようになっていて、番組情報関連データは図５９のようになっている。参照方法は上記第１３の実施の形態と同じである。（図５９の番組情報関連データの番組情報関連データ種は「他チャンネル映像表示」となる）。
【０１１０】
　視聴者がプログラム番号１０のチャネルに選局した場合には、受信装置（図５３）の番組出力部12がＰＩＤが１０１であるコンポーネントの音声を出力し、ＰＩＤが１０２で参照される番組情報関連データのチャンネルリストに記述されたすべてのチャンネルの映像を出力する。これにより視聴者は、音声によるプロモーションを聞きながら、プロモーションしている番組の映像を(複数)同時に見ることができる。複数番組を同時に表示するために、受信装置100の選局部11がチューニングを周期的に変更して順次取り込み、番組出力部12が複数番組の映像を組み合わせた画面を作成し表示する。
【０１１１】
　上記第１３乃至第１５の実施の形態では、番組情報関連データをＭＰＥＧ２プライベートセクション形式による、としているが、その他の形式の表やスクリプトなどでもかまわない。また、上記第１２乃至第１５の実施の形態では、番組情報は受信装置の受信部が受信したものについて説明しているが、ＦＤやＤＶＤなどの蓄積媒体により番組情報を入力する場合や、あらかじめ端末で保持する場合などもある。
【０１１２】
　また、上記第１２乃至第１５の実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【０１１３】
　このように、番組放送に同期してプロモーションに使用するチャネルのリストと番組表示の指示を含む番組情報関連データを送ることにより、他のチャネルで放映されている映像を利用して画面を分割したプロモーションなどが可能となる。
【０１１４】
　（第１６の実施の形態）
　本発明の第１６の実施の形態では、図７０における番組情報作成装置500が、ＢＳアナログとＢＳデジタルの番組情報を作成するようにする。リンク情報作成部61は、アナログの番組情報内でデジタルの番組への番組リンク情報を記述する。番組名、放映時刻などは同じであるけれども視聴料金だけは異なる、というような場合には、異なる部分だけは番組リンク情報以外に記述する。それぞれの番組情報の例を図６５と図６６に示す。図６６のＢＳアナログの番組情報の番組＿ＩＤが２３０の番組は図６５のＢＳデジタルの番組情報の番組＿ＩＤが３０の番組「めざまし時計テレビ！」を参照している。番組名や、開始時刻、番組長などは同じだが、視聴料金が異なるのでそれについては図６６の番組情報内で記述している。参照していても、同じ項目が参照元の番組情報にあればそれを優先することになる。二つの番組情報はＢＳデジタルで送出する。
【０１１５】
　図７１に示される受信装置100は、番組表を受信し、参照元の番組表表示時には番組表表示部６が参照先の番組情報を参照して表示する（図６７）。図６７の番組名「めざまし時計テレビ！」はＢＳデジタルの番組情報を参照して表示している。図７２のようにＢＳデジタルとＢＳアナログの両方の番組表を表示することも可能である。
【０１１６】
　図６７の番組表で視聴者が「めざまし時計テレビ！」を選択して、ＢＳアナログで番組を視聴しているときには、メッセージ出力部32がその番組をＢＳデジタルでも同時に放送していることをメッセージで表示する（モニタの隅っこに表示する。）（図６８）。番組情報から得たＢＳデジタル、ＢＳアナログそれぞれの料金を表示することもできる。視聴者が「このままアナログ」を選択したらメッセージを消すだけでＢＳアナログの番組を表示し続ける。「デジタルに移る」を選択したら選局切替部33がデジタルの番組表を参照して選局する。
【０１１７】
　本発明の第１６の実施の形態の変形としては、メッセージの表示なしに自動的に選局してしまうようにしても良い。また、本実施の形態では、放送時刻が同じ番組を参照するようにしているが、放送時刻が異なる番組を参照しても構わない。その場合、参照元の番組情報では放送時刻を記述する。
【０１１８】
　また、チャネルすべてが同一内容である場合には、リンク情報作成部61は番組編成が全く同じであることを示すチャネルリンク情報を付与する（図６９）。図６９においてＢＳ３０は、ＢＳデジタルのサービス＿ＩＤが３０のチャネルと内容が全く同じであることを示している。この場合にＢＳアナログの番組表表示を指示された場合には、番組表表示部６は番組の参照と同様にＢＳデジタルの番組情報を参照して番組表を表示する。
【０１１９】
　なお、上記第１６の実施の形態では、番組情報は受信装置の受信部が受信したものについて説明しているが、ＦＤやＤＶＤなどの蓄積媒体により番組情報を入力する場合や、あらかじめ端末で保持する場合などもある。
【０１２０】
　また、上記第１６の実施の形態では、番組情報を作成する放送センター側の動作について説明を省略しているが、番組情報は、図７３の従来例における映像、番組情報編成システムから入力される番組のスケジュール情報から作成されるものとしたものである。しかし、映像、番組情報編成システムがない場合も想定されるので、その場合には番組情報生成装置において番組のスケジュール情報から番組情報を作成することによっても可能である。
【０１２１】
　このように、異なるネットワークの番組情報間での関係を記述可能とすることによって、アナログとデジタルで同じ番組を放送するサイマル放送を行う場合にも、同一内容であることが分かり、視聴料金や画質などを考慮して視聴者がどちらを見るかを選択することが可能となる。
【産業上の利用可能性】
【０１２２】
　本発明にかかる番組情報作成装置および方法と受信装置は、ユーザの番組選択の支援、ＣＭ／番組放映と番組表表示との共存、番組やＣＭ提供者による録画／視聴料金に応じたきめ細やかなサービス、柔軟な予約・選局の仕組みの提供、異なるネットワークの番組表との関連付けを可能にするため放送送事業者及び放送を受信するユーザにとって利益を享受することができる放送システム等として有用である。
【図面の簡単な説明】
【０１２３】
【図１】本発明の第１の実施の形態に係る受信装置の概略ブロック図、
【図２】本発明の第１の実施の形態に係る受信装置における番組探索、探索結果番組情報作成のアルゴリズムを示すフローチャート、
【図３】番組情報を番組料金によって探索した場合の探索結果番組情報の例、
【図４】番組表表示部６にて表示する番組表の例、
【図５】番組情報からマイチャネル１及びマイチャネル２を作成した場合の探索結果番組情報の例、
【図６】番組表表示部６にて表示する番組表の他の例、
【図７】本発明の第１の実施の形態に係る受信装置における番組探索、探索結果番組情報作成のアルゴリズムを示す他のフローチャート、
【図８】本発明の第２の実施の形態に係る探索された以外の番組を視聴者が選択し、それを必ず含むように探索をやり直してマイチャネルを作成した場合の番組表の例、
【図９】探索の結果選択されなかった番組と選択された番組とが区別できるように表示された番組表の例、
【図１０】番組表内に視聴料金が表示された番組表の例、
【図１１】本発明の第３の実施の形態に係る視聴するタイムシフト番組を選択しうるようにした表示例、
【図１２】本発明の第３の実施の形態によりタイムシフト番組を選択し、スケジューリングした結果の番組表の例、
【図１３】本発明の第３の実施の形態によりタイムシフト番組を選択し、スケジューリングした結果の番組表の他の例、
【図１４】本発明の第３の実施の形態に係るスケジューリングを行って作成された探索結果番組情報の例、
【図１５】本発明の第４の実施の形態を説明するため使用されるプログラム情報の例、
【図１６】映像と音声をデコードして表示した例、
【図１７】ＣＭ情報が表示されるようにした例、
【図１８】ＣＭ情報が表示されるようにした他の例、
【図１９】本発明の第５の実施の形態に係る受信装置において通常番組の表示が縮小されつつ番組表を表示する例、
【図２０】番組情報の一つであるイベント情報の例、
【図２１】サブ番組と番組の関係を示す例、
【図２２】番組表にスポンサー情報が組み込まれて表示されている例、
【図２３】番組情報の一つであるイベント情報の他の例、
【図２４】ＣＭ情報の例、
【図２５】ＣＭ録画管理表の例、
【図２６】本発明の第４の実施の形態に係る番組情報作成装置の構成を示すブロック図、
【図２７】本発明の第４の実施の形態に係る受信装置の構成を示すブロック図、
【図２８】本発明の第６の実施の形態に係る番組情報作成装置の構成を示すブロック図、
【図２９】本発明の第６の実施の形態に係る受信装置の構成を示すブロック図、
【図３０】本発明の第７の実施の形態に係る番組情報作成装置の構成を示すブロック図、
【図３１】本発明の第７の実施の形態に係る受信装置の構成を示すブロック図、
【図３２】番組情報の一つであるイベント情報の更に他の例、
【図３３】ＣＭ位置情報の例、
【図３４】本発明の第８の実施の形態に係る録画予約番組の一覧の表示例、
【図３５】ＣＭを録画するかどうかを選択しうるようにした表示例、
【図３６】本発明の第９の実施の形態を説明するための番組情報の例、
【図３７】番組録画管理表の例、
【図３８】ＣＭ録画管理表の例、
【図３９】番組ＣＭ再生順序表の例、
【図４０】ＣＭ再生回数表の例、
【図４１】番組内ＣＭ位置表の例、
【図４２】番組ＣＭ録画管理表の例、
【図４３】本発明の第８の実施の形態に係る番組情報作成装置の構成を示すブロック図、
【図４４】本発明の第８の実施の形態に係る受信装置の構成を示すブロック図、
【図４５】本発明の第９の実施の形態に係る番組情報作成装置の構成を示すブロック図、
【図４６】本発明の第９の実施の形態に係る受信装置の構成を示すブロック図、
【図４７】本発明の第１０の実施の形態に係る受信装置の構成を示すブロック図、
【図４８】次番組の視聴を選択しうるようにした表示例、
【図４９】次番組情報の例、
【図５０】本発明の第１１の実施の形態に係る番組情報作成装置の構成を示すブロック図、
【図５１】本発明の第１１の実施の形態に係る受信装置の構成を示すブロック図、
【図５２】本発明の第１２の実施の形態に係る番組情報作成装置の構成を示すブロック図、
【図５３】本発明の第１２の実施の形態に係る受信装置の構成を示すブロック図、
【図５４】コンポーネント構成の第１の例、
【図５５】番組情報関連データの第１の例、
【図５６】コンポーネント構成の第２の例、
【図５７】番組情報関連データの第２の例、
【図５８】コンポーネント構成の第３の例、
【図５９】番組情報関連データの第３の例、
【図６０】共通番組情報の一部であるネットワークに関する情報の例、
【図６１】共通番組情報の一部である放送事業者とチャネルの対応テーブルの例、
【図６２】個別番組情報の一部であるチャネルごとの番組放送スケジュールの例、
【図６３】個別番組情報の一部であるチャネルの情報例、
【図６４】Ａ局及びＢ局のＴＳ（トランスポートストリーム）ごとのサービス送出状態の例、
【図６５】ＢＳデジタルの番組情報の例、
【図６６】ＢＳアナログの番組情報の例、
【図６７】ＢＳアナログの番組表の例、
【図６８】ＢＳアナログの画面でＢＳデジタルでも同時に放送していることを示すメッセージの表示例、
【図６９】チャネルリンク情報の例、
【図７０】本発明の第１６の実施の形態に係る番組情報作成装置の構成を示すブロック図、
【図７１】本発明の第１６の実施の形態に係る受信装置の構成を示すブロック図、
【図７２】ＢＳデジタルとＢＳアナログの両方の番組表を表示する番組表の例、
【図７３】従来の一般的なデジタル放送システムの構成を示すブロック図である。
【符号の説明】
【０１２４】
　　１　受信部
　　２　番組情報蓄積部
　　３　探索条件入力部
　　４　番組情報探索部
　　５　番組情報処理部
　　６　番組表表示部
　　７　予約管理部
　　８　番組表示部
　　９　リモコン
　　10　TVモニタ
　　11　選局部
　　12　番組出力部
　　13　広告情報蓄積部
　　14　広告用ストリームデータベース
　　15　CM録画管理部
　　16　CM情報蓄積部
　　17　CM検索部
　　18　CM位置情報蓄積部
　　19　番組録画部
　　20　番組、CMファイル
　　21　課金部
　　22　CM録画部
　　23　CMファイル
　　24　番組ファイル
　　25　番組再生部
　　26　再生順序表作成部
　　27　番組録画管理表/CM録画管理表/番組CM再生順序表/CM再生回数表
　　28　番組CM録画部
　　29　番組とCMのファイル
　　30　番組CM管理表作成部
　　31　番組CM管理表/番組内CM位置表/CM再生回数表
　　32　メッセージ出力部
　　33　選局切替え部
　　50　番組情報作成部
　　51　関連情報作成部
　　52　送出部
　　53　広告情報作成部
　　54　広告用ストリーム表示部
　　55　CM情報作成部
　　56　料金情報作成部
　　57　CM位置情報作成部
　　58　CM再生回数情報作成部
　　59　メッセージタイミング情報作成部
　　60　次番組情報作成部
　　61　リンク情報作成部
　　62　広告用ストリーム蓄積部
　　100　受信装置
　　500　番組情報作成装置
【図１】
2004007780.tif 000003
【図２】
2004007780.tif 000004
【図３】
2004007780.tif 000005
【図４】
2004007780.tif 000006
【図５】
2004007780.tif 000007
【図６】
2004007780.tif 000008
【図７】
2004007780.tif 000009
【図８】
2004007780.tif 000010
【図９】
2004007780.tif 000011
【図１０】
2004007780.tif 000012
【図１１】
2004007780.tif 000013
【図１２】
2004007780.tif 000014
【図１３】
2004007780.tif 000015
【図１４】
2004007780.tif 000016
【図１５】
2004007780.tif 000017
【図１６】
2004007780.tif 000018
【図１７】
2004007780.tif 000019
【図１８】
2004007780.tif 000020
【図１９】
2004007780.tif 000021
【図２０】
2004007780.tif 000022
【図２１】
2004007780.tif 000023
【図２２】
2004007780.tif 000024
【図２３】
2004007780.tif 000025
【図２４】
2004007780.tif 000026
【図２５】
2004007780.tif 000027
【図２６】
2004007780.tif 000028
【図２７】
2004007780.tif 000029
【図２８】
2004007780.tif 000030
【図２９】
2004007780.tif 000031
【図３０】
2004007780.tif 000032
【図３１】
2004007780.tif 000033
【図３２】
2004007780.tif 000034
【図３３】
2004007780.tif 000035
【図３４】
2004007780.tif 000036
【図３５】
2004007780.tif 000037
【図３６】
2004007780.tif 000038
【図３７】
2004007780.tif 000039
【図３８】
2004007780.tif 000040
【図３９】
2004007780.tif 000041
【図４０】
2004007780.tif 000042
【図４１】
2004007780.tif 000043
【図４２】
2004007780.tif 000044
【図４３】
2004007780.tif 000045
【図４４】
2004007780.tif 000046
【図４５】
2004007780.tif 000047
【図４６】
2004007780.tif 000048
【図４７】
2004007780.tif 000049
【図４８】
2004007780.tif 000050
【図４９】
2004007780.tif 000051
【図５０】
2004007780.tif 000052
【図５１】
2004007780.tif 000053
【図５２】
2004007780.tif 000054
【図５３】
2004007780.tif 000055
【図５４】
2004007780.tif 000056
【図５５】
2004007780.tif 000057
【図５６】
2004007780.tif 000058
【図５７】
2004007780.tif 000059
【図５８】
2004007780.tif 000060
【図５９】
2004007780.tif 000061
【図６０】
2004007780.tif 000062
【図６１】
2004007780.tif 000063
【図６２】
2004007780.tif 000064
【図６３】
2004007780.tif 000065
【図６４】
2004007780.tif 000066
【図６５】
2004007780.tif 000067
【図６６】
2004007780.tif 000068
【図６７】
2004007780.tif 000069
【図６８】
2004007780.tif 000070
【図６９】
2004007780.tif 000071
【図７０】
2004007780.tif 000072
【図７１】
2004007780.tif 000073
【図７２】
2004007780.tif 000074
【図７３】
2004007780.tif 000075